(57)【要約】【課題】サービス提供者が作成する各顧客に関するデータを、顧客自身が自由に閲覧可能な仕組みを簡易にかつ低コストで実現する手段を提供する。【解決手段】美容院の顧客が携帯するスマートフォン１１には美容院用のアプリがインストールされており、そのアプリにより管理される美容院のカルテデータが記憶される。スマートフォン１１に記憶されるカルテデータは、スマートフォン１１を携帯する顧客によりいつでも閲覧可能であるがその編集はできないため、顧客が誤ってカルテデータを消去してしまう等の危険性がない。カルテデータの編集は、美容院の店員のみが知るパスワードをスマートフォン１１に入力することで可能となる。そのパスワードはサーバ装置１２に記憶されており、美容院の店長は端末装置１３を用いてサーバ装置１２にアクセスし、そのパスワードを自由に変更することで、カルテデータの外部への漏洩が防止される。【選択図】図１
2013033364.tif 000002
【特許請求の範囲】
【請求項１】
店舗の顧客である第１のユーザが携帯する端末装置である第１の端末装置が、前記第１の端末装置に対し複数の処理を指示するプログラムを示すプログラムデータを記憶するステップと、
サーバ装置が、参照用のパスワードを示すデータである参照用パスワードデータを記憶するステップと、
前記サーバ装置が、店員が使用する端末装置である第２の端末装置に前記参照用パスワードデータを送信するステップと、
前記第１のユーザに携帯され前記店舗に持ち込まれた前記第１の端末装置が、前記第１のユーザもしくは前記店舗の店員である第２のユーザのいずれかによる前記第１の端末装置に対する所定の操作に応じて、前記プログラムデータに従い、前記店舗の店員である第２のユーザに対しパスワードの入力を促す表示を行うステップと、
前記パスワードの入力を促す表示に応じて前記第２のユーザが前記第１の端末装置に対し行うパスワードの入力操作に応じて、前記第１の端末装置が、前記プログラムデータに従い、入力されたパスワードを示す照合用パスワードデータを生成するステップと、
前記第１の端末装置もしくは前記サーバ装置が、前記参照用パスワードデータと前記照合用パスワードデータとが一致するか否かを判定するステップと、
前記判定するステップにおいて前記参照用パスワードデータと前記照合用パスワードデータとが一致すると判定された場合に限り、前記第１の端末装置が、前記プログラムデータに従い、前記複数の処理のうちの所定の処理を行うステップと
を備える方法。
【請求項２】
前記第２のユーザが前記第２の端末装置に対し行うパスワードの入力操作に応じて、前記第２の端末装置が、入力されたパスワードを示す参照用パスワードデータを生成するステップと、
前記第２の端末装置が、前記サーバ装置に対しネットワークを介して、前記参照用パスワードデータを生成するステップにおいて生成された参照用パスワードデータを送信するステップと、
前記サーバ装置が、前記生成された参照用パスワードデータを送信ステップにおいて前記第２の端末装置から送信されてきた参照用パスワードデータで前記参照用パスワードデータを記憶するステップにおいて記憶されている参照用パスワードデータを更新するステップと
を備える請求項１に記載の方法。
【請求項３】
前記サーバ装置が、データの送信先を示すアドレスデータを記憶するステップと、
前記サーバ装置が、前記参照用パスワードデータを更新するステップにおいて参照用パスワードデータが更新された場合、前記アドレスデータを記憶するステップにおいて記憶しているアドレスデータにより示される送信先に宛てて、更新後の参照用パスワードデータを送信するステップと
を備える請求項２に記載の方法。
【請求項４】
前記サーバ装置が、データの送信先を示すアドレスデータを記憶するステップと、
前記サーバ装置が、所定の時間の経過毎に、参照用パスワードデータを生成するステップと、
前記サーバ装置が、前記参照用パスワードデータを生成するステップにおいて生成された参照用パスワードデータで前記参照用パスワードデータを記憶するステップにおいて記憶されている参照用パスワードデータを更新するステップと、
前記サーバ装置が、前記参照用パスワードデータを更新するステップにおいて参照用パスワードデータが更新された場合、前記アドレスデータを記憶するステップにおいて記憶しているアドレスデータにより示される送信先に宛てて、更新後の参照用パスワードデータを送信するステップと
を備える
請求項１乃至３のいずれかに記載の方法。
【請求項５】
前記サーバ装置が、前記参照用パスワードデータを記憶するステップにおいて記憶された参照用パスワードデータにより示される参照用のパスワードをエンコードした画像を示す画像データを生成するステップ
を備え、
前記サーバ装置は、前記第２の端末装置に前記参照用パスワードデータを送信するステップにおいて、前記参照用パスワードデータに代えて、もしくは前記参照用パスワードデータに加えて、前記画像データを生成するステップにおいて生成した画像データを送信し、
前記第１の端末装置は、前記照合用パスワードデータを生成するステップにおいて、前記第２のユーザが前記第１の端末装置に対し行うパスワードの入力操作として行う撮影の指示に応じて、パスワードを示す画像を撮影して当該画像を示す画像データを生成し、当該画像データをデコードすることにより前記照合用パスワードデータを生成する
請求項１乃至４のいずれかに記載の方法。
【請求項６】
前記判定するステップにおいて前記参照用パスワードデータと前記照合用パスワードデータとが一致すると判定された場合に限り前記第１の端末装置が実行する前記所定の処理は、前記プログラムデータに従い前記第１の端末装置が管理する所定の種別のデータを前記第２のユーザの前記第１の端末装置に対するデータ入力操作に応じて更新する処理もしくは前記プログラムデータに従い前記第１の端末装置が管理する所定の種別のデータを表示する処理である
請求項１乃至５のいずれかに記載の方法。
【請求項７】
店舗の顧客であるユーザが携帯する端末装置が、前記端末装置に対し複数の処理を指示するプログラムを示すとともに前記店舗の地理的領域を示す店舗領域データを含むプログラムデータを記憶するステップと、
前記端末装置が自機の現在位置を示すデータである現在位置データを取得するステップと、
前記端末装置が、前記プログラムデータに従い、前記現在位置データを取得するステップにおいて取得した現在位置データにより示される位置が前記プログラムデータに含まれる店舗領域データにより示される領域内であるか否かを判定するステップと、
前記判定するステップにおいて前記現在位置データにより示される位置が前記店舗領域データにより示される領域内であると判定された場合に限り、前記端末装置が、前記プログラムデータに従い、前記複数の処理のうちの所定の処理を行うステップと
を備える方法。
【請求項８】
前記判定するステップにおいて前記現在位置データにより示される位置が前記店舗領域データにより示される領域内であると判定された場合に限り前記端末装置が実行する前記所定の処理は、前記プログラムデータに従い前記端末装置が管理する所定の種別のデータを前記ユーザもしくは前記店舗の店員の前記端末装置に対するデータ入力操作に応じて更新する処理もしくは前記プログラムデータに従い前記端末装置が管理する所定の種別のデータを表示する処理である
請求項７に記載の方法。
【請求項９】
店舗の顧客であるユーザが携帯する端末装置が、前記端末装置に対し複数の処理を指示するプログラムを示すとともに店舗内に配置される電波発信装置を識別する装置識別データを含むプログラムデータを記憶するステップと、
前記電波発信装置が、自機を識別する装置識別データを示す見通し到達距離が１００メートル以下の電波を発信するステップと、
前記端末装置が、前記電波発信装置から発信された装置識別データを示す電波を受信するステップと、
前記端末装置が、前記プログラムデータに従い、前記電波を受信するステップにおいて受信した電波により示される装置識別データが前記プログラムデータに含まれる装置識別データと一致するか否かを判定するステップと、
前記判定するステップにおいて前記電波を受信するステップにおいて受信した電波により示される装置識別データが前記プログラムデータに含まれる装置識別データと一致すると判定された場合に限り、前記端末装置が、前記プログラムデータに従い、前記複数の処理のうちの所定の処理を行うステップと
を備える方法。
【請求項１０】
前記電波発信装置が、テキスト、画像、音およびプログラムの少なくともいずれかを示すデータであるコンテンツデータを示す見通し到達距離が１００メートル以下の電波を発信するステップと、
前記端末装置が、前記電波発信装置から発信されたコンテンツデータを示す電波を受信するステップと、
前記端末装置が、前記プログラムデータに従い、前記コンテンツデータを示す電波を受信するステップにおいて受信した電波により示されるコンテンツデータを用いた所定の処理を行うステップと
を備える請求項９に記載の方法。
【請求項１１】
前記電波を受信するステップにおいて受信した電波により示される装置識別データが前記プログラムデータに含まれる装置識別データと一致すると判定された場合に限り前記端末装置が実行する前記所定の処理は、前記プログラムデータに従い前記端末装置が管理する所定の種別のデータを前記ユーザもしくは前記店舗の店員の前記端末装置に対するデータ入力操作に応じて更新する処理もしくは前記プログラムデータに従い前記端末装置が管理する所定の種別のデータを表示する処理である
請求項９または１０に記載の方法。
【発明の詳細な説明】
【技術分野】
【０００１】
本発明は、携帯端末装置の処理を制御する技術に関する。
【背景技術】
【０００２】
医療分野においては、古くから、患者の疾病に関する医師の見立てや患者に対して行った医療行為などの情報がカルテと呼ばれるドキュメントに記録され管理されている。これらのカルテに記録される情報は長年に渡り管理される必要があり、かつ外部に秘匿されるべき重要な個人情報を含んでいるため、その電子化の技術が普及しつつある。
【０００３】
医療分野に限らず、多くのサービス業は、顧客に対し行った各種サービスの履歴をカルテとして記録・管理することで、顧客に対しよりよいサービス提供を行うことができる。
【０００４】
例えば、多くの理美容院においては、顧客に対して行ったカットやトリートメント等の施術の履歴をカルテに記録し管理することで、数週間のインターバルを置いて再来店する顧客に対し、過去の情報を参考にしつつ最適と思われるサービスを提案・提供することが行われている。
【０００５】
医療分野と同様に、それらのサービス業においても、カルテに記録されるデータを電子化することで、その管理を容易化することができる。
【０００６】
例えば、特許文献１には、複数の理美容の店舗に各々配置された無線アクセスポイントを介して、店員の各々が所持する携帯端末がネットワーク上のサーバとの間でカルテデータの送受信を行うことで、カルテデータを複数店舗の店員間で共有する仕組みが提案されている。
【先行技術文献】
【特許文献】
【０００７】
【特許文献１】特開２００５−１９６３９０号公報
【発明の概要】
【発明が解決しようとする課題】
【０００８】
従来、カルテデータは医師や理美容師など、サービス提供者により作成されるため、それらサービスの提供者の所有物である、という認識が一般的であり、サービス被提供者である患者や顧客がカルテデータを自由に閲覧し利用することはできない場合が多い
【０００９】
しかしながら、カルテデータはサービス被提供者である患者や顧客に関するデータであるため、本来、サービス被提供者の所有物であり、サービス被提供者が自由に閲覧し利用することができるべきものである。
【００１０】
ただし、カルテデータは、サービス提供者間（異なる医師間や理美容師間など）でその内容を正確かつ迅速に伝達し合うためにも利用されるため、記録されるデータのフォーマットや用語等が統一されている必要がある。従って、カルテデータの作成・管理は主として専門家であるサービス提供者により行われることが望ましく、患者や顧客といったサービス被提供者による自由なカルテデータの変更を許可することは必ずしも望ましくない。
【００１１】
また、カルテデータの一部は、主としてサービス提供者間でのみ理解されるような専門的な用語や表現で記載されているものもあり、必ずしもその全てがサービス被提供者にとって利用可能な内容ではない。従って、それらのサービス被提供者にとって閲覧不要なデータはサービス被提供者に対し提示されないことが望ましい。
【００１２】
例えば、特許文献１に記載されているようなネットワークを介したカルテデータの共有の仕組みを用いれば、例えば顧客に対しその顧客に関するカルテデータへのアクセスを許可するユーザＩＤおよびパスワードを付与することで、上記の課題を解決することができる。
【００１３】
すなわち、顧客は自分の端末装置を用いてカルテデータを記録しているサーバにアクセスし、ユーザＩＤとパスワードを入力することで本人認証を行った後、サーバから自分に関するカルテデータの送信を受けることで、端末装置に表示される自分のカルテデータを閲覧し利用することが可能となる。
【００１４】
ただし、上記のように、カルテデータをサーバに記録させる仕組みにおいては、サーバの管理に多くのリソースを費やす必要がある。なぜなら、まずサーバに記録されるデータ量が多くなるため、ハードウェア的なリソースを十分に確保する必要がある。また、多くのユーザがネットワークを介してカルテデータにアクセスし得るため、そのアクセス管理を十分に行わなければ、個人情報が大量に外部に漏洩するといった深刻な問題が生じる。
【００１５】
そのため、サーバにおいてカルテデータを管理する仕組みを例えば小規模な店舗に導入することは、手間や費用対効果等の観点から現実的でないことも多い。
【００１６】
上記の事情に鑑み、本発明は、サービス提供者が作成する各顧客に関するデータを、顧客自身が自由に閲覧可能な仕組みを簡易にかつ低コストで実現する手段を提供することを目的とする。
【課題を解決するための手段】
【００１７】
上記の課題を解決するため、本発明は、
店舗の顧客である第１のユーザが携帯する端末装置である第１の端末装置が、前記第１の端末装置に対し複数の処理を指示するプログラムを示すプログラムデータを記憶するステップと、
サーバ装置が、参照用のパスワードを示すデータである参照用パスワードデータを記憶するステップと、
前記サーバ装置が、店員が使用する端末装置である第２の端末装置に前記参照用パスワードデータを送信するステップと、
前記第１のユーザに携帯され前記店舗に持ち込まれた前記第１の端末装置が、前記第１のユーザもしくは前記店舗の店員である第２のユーザのいずれかによる前記第１の端末装置に対する所定の操作に応じて、前記プログラムデータに従い、前記店舗の店員である第２のユーザに対しパスワードの入力を促す表示を行うステップと、
前記パスワードの入力を促す表示に応じて前記第２のユーザが前記第１の端末装置に対し行うパスワードの入力操作に応じて、前記第１の端末装置が、前記プログラムデータに従い、入力されたパスワードを示す照合用パスワードデータを生成するステップと、
前記第１の端末装置もしくは前記サーバ装置が、前記参照用パスワードデータと前記照合用パスワードデータとが一致するか否かを判定するステップと、
前記判定するステップにおいて前記参照用パスワードデータと前記照合用パスワードデータとが一致すると判定された場合に限り、前記第１の端末装置が、前記プログラムデータに従い、前記複数の処理のうちの所定の処理を行うステップと
を備える方法
を第１の実施態様として提案する。
【００１８】
また、本発明は、上記の第１の実施態様にかかる方法の望ましい一態様として、
前記第２のユーザが前記第２の端末装置に対し行うパスワードの入力操作に応じて、前記第２の端末装置が、入力されたパスワードを示す参照用パスワードデータを生成するステップと、
前記第２の端末装置が、前記サーバ装置に対しネットワークを介して、前記参照用パスワードデータを生成するステップにおいて生成された参照用パスワードデータを送信するステップと、
前記サーバ装置が、前記生成された参照用パスワードデータを送信ステップにおいて前記第２の端末装置から送信されてきた参照用パスワードデータで前記参照用パスワードデータを記憶するステップにおいて記憶されている参照用パスワードデータを更新するステップと
を備える
という構成を第２の実施態様として提案する。
【００１９】
また、本発明は、上記の第２の実施態様にかかる方法の望ましい一態様として、
前記サーバ装置が、データの送信先を示すアドレスデータを記憶するステップと、
前記サーバ装置が、前記参照用パスワードデータを更新するステップにおいて参照用パスワードデータが更新された場合、前記アドレスデータを記憶するステップにおいて記憶しているアドレスデータにより示される送信先に宛てて、更新後の参照用パスワードデータを送信するステップと
を備える
という構成を第３の実施態様として提案する。
【００２０】
また、本発明は、上記の第１乃至第３のいずれかの実施態様にかかる方法の望ましい一態様として、
前記サーバ装置が、データの送信先を示すアドレスデータを記憶するステップと、
前記サーバ装置が、所定の時間の経過毎に、参照用パスワードデータを生成するステップと、
前記サーバ装置が、前記参照用パスワードデータを生成するステップにおいて生成された参照用パスワードデータで前記参照用パスワードデータを記憶するステップにおいて記憶されている参照用パスワードデータを更新するステップと、
前記サーバ装置が、前記参照用パスワードデータを更新するステップにおいて参照用パスワードデータが更新された場合、前記アドレスデータを記憶するステップにおいて記憶しているアドレスデータにより示される送信先に宛てて、更新後の参照用パスワードデータを送信するステップと
を備える
という構成を第４の実施態様として提案する。
【００２１】
また、本発明は、上記の第１乃至第４のいずれかの実施態様にかかる方法の望ましい一態様として、
前記サーバ装置が、前記参照用パスワードデータを記憶するステップにおいて記憶された参照用パスワードデータにより示される参照用のパスワードをエンコードした画像を示す画像データを生成するステップ
を備え、
前記サーバ装置は、前記第２の端末装置に前記参照用パスワードデータを送信するステップにおいて、前記参照用パスワードデータに代えて、もしくは前記参照用パスワードデータに加えて、前記画像データを生成するステップにおいて生成した画像データを送信し、
前記第１の端末装置は、前記照合用パスワードデータを生成するステップにおいて、前記第２のユーザが前記第１の端末装置に対し行うパスワードの入力操作として行う撮影の指示に応じて、パスワードを示す画像を撮影して当該画像を示す画像データを生成し、当該画像データをデコードすることにより前記照合用パスワードデータを生成する
という構成を第５の実施態様として提案する。
【００２２】
また、本発明は、上記の第１乃至第５のいずれかの実施態様にかかる方法の望ましい一態様として、
前記判定するステップにおいて前記参照用パスワードデータと前記照合用パスワードデータとが一致すると判定された場合に限り前記第１の端末装置が実行する前記所定の処理は、前記プログラムデータに従い前記第１の端末装置が管理する所定の種別のデータを前記第２のユーザの前記第１の端末装置に対するデータ入力操作に応じて更新する処理もしくは前記プログラムデータに従い前記第１の端末装置が管理する所定の種別のデータを表示する処理である
という構成を第６の実施態様として提案する。
【００２３】
また、本発明は、
店舗の顧客であるユーザが携帯する端末装置が、前記端末装置に対し複数の処理を指示するプログラムを示すとともに前記店舗の地理的領域を示す店舗領域データを含むプログラムデータを記憶するステップと、
前記端末装置が自機の現在位置を示すデータである現在位置データを取得するステップと、
前記端末装置が、前記プログラムデータに従い、前記現在位置データを取得するステップにおいて取得した現在位置データにより示される位置が前記プログラムデータに含まれる店舗領域データにより示される領域内であるか否かを判定するステップと、
前記判定するステップにおいて前記現在位置データにより示される位置が前記店舗領域データにより示される領域内であると判定された場合に限り、前記端末装置が、前記プログラムデータに従い、前記複数の処理のうちの所定の処理を行うステップと
を備える方法
を第７の実施態様として提案する。
【００２４】
また、本発明は、上記の第７の実施態様にかかる方法の望ましい一態様として、
前記判定するステップにおいて前記現在位置データにより示される位置が前記店舗領域データにより示される領域内であると判定された場合に限り前記端末装置が実行する前記所定の処理は、前記プログラムデータに従い前記端末装置が管理する所定の種別のデータを前記ユーザもしくは前記店舗の店員の前記端末装置に対するデータ入力操作に応じて更新する処理もしくは前記プログラムデータに従い前記端末装置が管理する所定の種別のデータを表示する処理である
という構成を第８の実施態様として提案する。
【００２５】
また、本発明は、
店舗の顧客であるユーザが携帯する端末装置が、前記端末装置に対し複数の処理を指示するプログラムを示すとともに店舗内に配置される電波発信装置を識別する装置識別データを含むプログラムデータを記憶するステップと、
前記電波発信装置が、自機を識別する装置識別データを示す見通し到達距離が１００メートル以下の電波を発信するステップと、
前記端末装置が、前記電波発信装置から発信された装置識別データを示す電波を受信するステップと、
前記端末装置が、前記プログラムデータに従い、前記電波を受信するステップにおいて受信した電波により示される装置識別データが前記プログラムデータに含まれる装置識別データと一致するか否かを判定するステップと、
前記判定するステップにおいて前記電波を受信するステップにおいて受信した電波により示される装置識別データが前記プログラムデータに含まれる装置識別データと一致すると判定された場合に限り、前記端末装置が、前記プログラムデータに従い、前記複数の処理のうちの所定の処理を行うステップと
を備える方法
を第９の実施態様として提案する。
【００２６】
また、本発明は、上記の第９の実施態様にかかる方法の望ましい一態様として、
前記電波発信装置が、テキスト、画像、音およびプログラムの少なくともいずれかを示すデータであるコンテンツデータを示す見通し到達距離が１００メートル以下の電波を発信するステップと、
前記端末装置が、前記電波発信装置から発信されたコンテンツデータを示す電波を受信するステップと、
前記端末装置が、前記プログラムデータに従い、前記コンテンツデータを示す電波を受信するステップにおいて受信した電波により示されるコンテンツデータを用いた所定の処理を行うステップと
を備える
という構成を第１０の実施態様として提案する。
【００２７】
また、本発明は、上記の第９または第１０の実施態様にかかる方法の望ましい一態様として、
前記電波を受信するステップにおいて受信した電波により示される装置識別データが前記プログラムデータに含まれる装置識別データと一致すると判定された場合に限り前記端末装置が実行する前記所定の処理は、前記プログラムデータに従い前記端末装置が管理する所定の種別のデータを前記ユーザもしくは前記店舗の店員の前記端末装置に対するデータ入力操作に応じて更新する処理もしくは前記プログラムデータに従い前記端末装置が管理する所定の種別のデータを表示する処理である
という構成を第１１の実施態様として提案する。
【発明の効果】
【００２８】
本発明の第１の実施態様にかかる方法によれば、顧客が携帯する端末装置にその顧客のカルテデータなど、その顧客に関するデータが記憶されるため、顧客はいつでもそれらのデータを閲覧等することができる。一方、データを端末装置に入力する作業は専門家である店舗の店員が行うため、顧客はそれらのデータの入力を行う煩わしさを伴わない。さらに、データの編集は通常、店舗の店員により管理されているパスワードによりロックされているため、顧客が誤ってデータを消去等することがない。これらの仕組みは、サーバにおけるカルテデータ等の管理を伴わないため、システムの管理が容易かつ低コストで実現できる。
【００２９】
本発明の第２の実施態様にかかる方法によれば、店舗の店員が、顧客の携帯する端末装置に対しかけられているロックを解除するためのパスワードを自由に変更することができる。そのため、例えば店舗の店員の入れ替え等があったような場合にパスワード変更を行うことで、退職したかつての店舗の店員が不正に顧客の端末装置に記憶されているデータの編集等を行うことができてしまう、といった問題を容易に防止することができる。
【００３０】
本発明の第３の実施態様にかかる方法によれば、例えば店長が店員のメールアドレスをサーバ装置に登録しておくことで、店長がパスワードを変更すると自動的に店員のメールアドレス宛に変更後のパスワードの通知が送られるようにすることができる。そのため、店長が店員に対し新しいパスワードを通知する手間が省かれる。
【００３１】
本発明の第４の実施態様にかかる方法によれば、顧客の携帯する端末装置に対しかけられているロックを解除するためのパスワードが定期的に自動的に変更され、変更後のパスワードが予めサーバに登録しておいた店舗の店員のメールアドレス等に宛てて自動的に送信される。そのため、パスワードの変更およびその通知の手間が省かれる。
【００３２】
本発明の第５の実施態様にかかる方法によれば、サーバ装置に記憶されたパスワードを示す二次元バーコードなどの画像が店舗の店員に電子メール等で送信される。そして、店舗の店員は、例えばその画像をプリントアウトしたものを顧客の端末装置のカメラにより撮影することで、端末装置に対するパスワードの入力を行うことができる。そのため、店舗の店員はパスワードを覚える必要がなく便利である。
【００３３】
本発明の第６の実施態様にかかる方法によれば、パスワードの入力によりロックが解除されると、ロック中にはできなかった顧客の端末装置に記憶される特定の種別のデータの編集や、特定の種別のデータの閲覧が可能となる。そのため、例えばロック中に顧客が自由に閲覧できるカルテデータなどのデータを店舗の店員がロックを解除することで編集したり、ロック中には顧客が閲覧不要な専門的な情報を示すデータを店舗の店員がロックを解除することで閲覧したりすることができる。そのため、顧客にとってのユーザビリティの確保や、店舗の店員間の情報共有が可能となる。
【００３４】
本発明の第７の実施態様にかかる方法によれば、顧客が端末装置を携帯して店舗に来店すると、顧客の端末装置が店舗の地理的領域内に入ることで、自動的にそれまでロックされていた機能のロック解除が行われる。そのため、ロック解除のための操作が不要であり便利である。
【００３５】
本発明の第８の実施態様にかかる方法によれば、顧客の来店に伴い顧客の端末装置においてロックされていた特定の種別のデータの編集機能や、特定の種別のデータの閲覧機能が使用可能となる。そのため、店舗の店員が編集すべきカルテデータの編集や、店舗の店員のみが閲覧することが望ましい専門的な情報の閲覧を、店舗近辺の所定のエリア内においてのみ可能とすることができる。
【００３６】
本発明の第９の実施態様にかかる方法によれば、顧客が端末装置を携帯して店舗に来店すると、顧客の端末装置が店舗内に配置された電波発信装置により発信される電波を受信することで、自動的にそれまでロックされていた機能のロック解除が行われる。そのため、ロック解除のための操作が不要であり便利である。
【００３７】
本発明の第１０の実施態様にかかる方法によれば、顧客が端末装置を携帯して店舗に来店すると、顧客の端末装置に対し、店舗内に配置された電波発信装置から発信される電波によりコンテンツデータの送信が行われる。その結果、顧客が来店することにより、特段の操作を要することなく、端末装置内のデータ更新等を行うことができ便利である。
【００３８】
本発明の第１１の実施態様にかかる方法によれば、顧客の来店に伴い顧客の端末装置においてロックされていた特定の種別のデータの編集機能や、特定の種別のデータの閲覧機能が使用可能となる。そのため、店舗の店員が編集すべきカルテデータの編集や、店舗の店員のみが閲覧することが望ましい専門的な情報の閲覧を、店舗近辺の所定のエリア内においてのみ可能とすることができる。
【図面の簡単な説明】
【００３９】
【図１】図１は、本発明の一実施例にかかる携帯アプリ管理システムの構成を示す図である。
【図２】図２は、本発明の一実施例にかかる携帯アプリ管理システムにおいて、スマートフォンのディスプレイに表示されるメニュー画面を示した図である。
【図３】図３は、本発明の一実施例にかかる携帯アプリ管理システムにおいて、会員情報の登録手続に伴いスマートフォンに表示される画面を示した図である。
【図４】図４は、本発明の一実施例にかかる携帯アプリ管理システムにおいて、カレンダー画面および予定情報の登録・編集に伴いスマートフォンに表示される画面を示した図である。
【図５】図５は、本発明の一実施例にかかる携帯アプリ管理システムにおいて、カルテ画面およびカルテデータの登録・編集に伴いスマートフォンに表示される画面を示した図である。
【図６】図６は、本発明の一実施例にかかる携帯アプリ管理システムにおいて、メッセージ画面およびメッセージデータの登録・編集に伴いスマートフォンに表示される画面を示した図である。
【図７】図７は、本発明の実施例の一変形例にかかる携帯アプリ管理システムにおいて用いられる領域データの形式の例を説明するための図である。
【発明を実施するための形態】
【００４０】
［実施例］
以下に、本発明の一実施例として、携帯アプリ管理システム１の構成と動作を説明する。
【００４１】
携帯アプリ管理システム１は、美容院Ａの顧客が携帯するスマートフォン（携帯電話機能を備えるＰＤＡ（Personal Digital Assistant））に、顧客に対し美容院Ａの担当技術者が行った施術等の情報や、カットおよびセットされたヘアースタイルの写真などを示すカルテデータや、担当技術者から顧客へのメッセージを示すメッセージデータを記憶させ、顧客が自分のカルテデータやメッセージデータの内容を自由に閲覧等できるようにするシステムである。
【００４２】
ただし、カルテデータ等が顧客のスマートフォンに記憶されていると、顧客がスマートフォンを操作中に誤ってそれらのデータを消去してしまう危険性がある。カルテデータは、美容院Ａの担当技術者が変わった際に、それまでの担当技術者から新しい担当技術者へ過去の施術等に関する情報を伝達する重要なデータであるため、顧客の誤操作によるカルテデータの消去を回避する仕組みが必要である。
【００４３】
携帯アプリ管理システム１においては、顧客がカルテデータ等を誤消去しないように、美容院Ａの店長により管理され、美容院Ａの店員にのみ通知されるパスワードにより、通常時（顧客が美容院Ａの店舗以外でスマートフォンを使用している時）にはカルテデータ等の一部データに関し、その利用が閲覧（音や動画の視聴を含む）に限られ、編集（消去、追加、書き換え更新）は許可されないようにロックされる。
【００４４】
スマートフォンにおいて、カルテデータ等の美容院Ａに関する各種データは、スマートフォンにダウンロードされ、インストールされた美容院Ａ用にカスタマイズされたアプリケーションプログラムに従った処理により管理されている。以下、美容院Ａ用にカスタマイズされたアプリケーションプログラムを「美容院Ａアプリ」と呼ぶ。また、スマートフォンにおいて、美容院Ａアプリにより管理されているカルテデータ等の一部のデータの利用に制限をかける機能を以下、単に「ロック」と呼ぶ。
【００４５】
上記の仕組みを実現するために、携帯アプリ管理システム１は図１に示すように、以下の構成要素を備えている。
【００４６】
スマートフォン１１：顧客が携帯するスマートフォン。
サーバ装置１２：スマートフォンのロックを解除するためのパスワードを管理するサーバ装置。
端末装置１３：美容院Ａの店長が使用するパーソナルコンピュータ。
【００４７】
スマートフォン１１とサーバ装置１２、および端末装置１３とサーバ装置１２は、インターネット２０を介して互いにデータ通信を行うことができる。
【００４８】
なお、図１にはスマートフォン１１が１つのみ表示されているが、実際には美容院Ａの顧客のうち美容院Ａアプリをインストールした顧客の数だけ、スマートフォン１１がある。
【００４９】
スマートフォン１１は、ハードウェアとしては一般的なスマートフォンである。スマートフォン１１は、美容院Ａアプリに従った処理を行うことにより、後述するように、美容院Ａの各種情報を顧客に提供する役割を果たす。
【００５０】
サーバ装置１２は、ハードウェアとしては一般的なサーバ装置である。サーバ装置１２は、ロックを解除するためのパスワード（以下、「ロック解除用パスワード」と呼ぶ）と、ロック解除用パスワードの閲覧および変更を行うためのパスワード（以下、「パスワード閲覧変更用パスワード」と呼ぶ）を記憶手段に記憶している。
【００５１】
また、サーバ装置１２はＷｅｂサーバ機能を備え、スマートフォン１１もしくは端末装置１３から正しいパスワード閲覧変更用パスワードを受信すると、その送信元のスマートフォン１１もしくは端末装置１３に対しロック解除用パスワードを送信する。また、端末装置１３から正しいパスワード閲覧変更用パスワードを受信した後、新しいロック解除用パスワードを受信すると、記憶手段に記憶しているロック解除用パスワードを新しいロック解除用パスワードで更新（上書き保存）する。
【００５２】
端末装置１３は、ハードウェアとしては、データ通信手段を備えた一般的なパーソナルコンピュータである。端末装置１３はブラウザ機能を備え、店長により入力された所定のＵＲＩ（Uniform Resource Identifier）に従いサーバ装置１２にアクセスし、サーバ装置１２から送信されてくるロック解除用パスワードを表示したり、店長により入力される新しいロック解除用パスワードをサーバ装置１２に送信したりする。
【００５３】
上記のような構成の携帯アプリ管理システム１の動作を以下に説明する。
【００５４】
まず、顧客はスマートフォン１１に美容院Ａアプリをダウンロードし、インストールする。なお、美容院Ａアプリのダウンロード元のサーバ装置はサーバ装置１２であってもよいし、広くスマートフォンに対しアプリケーションプログラムの配信を行うサーバ装置１２とは異なるサーバ装置であってもよい。
【００５５】
図２は、美容院Ａアプリを起動した際にスマートフォン１１のディスプレイに表示されるメニュー画面を模式的に示した図である。美容院Ａアプリのメニュー画面には以下のボタンが表示される。
【００５６】
「マップ」ボタン：
美容院Ａの店舗の地図、住所、電話番号、営業時間、経度緯度を表示するマップ画面を表示する。
【００５７】
なお、マップ画面に表示される美容院Ａの店舗の地図、住所、電話番号、営業時間、経度緯度を示すデータは予め美容院Ａアプリに内包され、スマートフォン１１にダウンロードされている。
【００５８】
マップ画面には顧客が知人に美容院Ａのマップをメール送信するための「メールで送信」ボタンが表示される。顧客が「メールで送信」ボタンをタッチすると、スマートフォン１１のディスプレイにはメーラーアプリに従ってメール送信画面が表示される。その画面に表示される送信前の電子メールには、美容院Ａアプリに従い、予め美容院Ａの店舗の地図、住所、電話番号、営業時間、経度緯度を示すデータが添付されている。
【００５９】
顧客がメール送信画面において、スマートフォン１１のアドレス帳から希望する知人のメールアドレスを選択し「送信」ボタンとタッチすると、美容院Ａの地図等のデータが添付された電子メールが選択された知人のメールアドレス宛に送信される。
【００６０】
「口コミ」ボタン：
美容院Ａに関する口コミ情報の閲覧および書き込みを行うＷｅｂページを表示する。
【００６１】
美容院Ａは、店舗紹介のためのＷｅｂサイトを公開している。美容院ＡのＷｅｂサイトには、広く顧客が口コミ情報を書き込んだり、顧客もしくは潜在顧客がそれらの口コミ情報を閲覧したりするための口コミページが含まれている。美容院Ａアプリのメニュー画面に含まれる「口コミ」ボタンがタッチされると、美容院Ａアプリに従い、スマートフォン１１のブラウザアプリにその口コミページのＵＲＩが引き渡されて、ブラウザ画面に口コミページの表示が行われる。
【００６２】
顧客は、ブラウザ画面に表示された口コミページにおいて、口コミ情報の書き込み（入力・送信）を行ったり、他の顧客が書き込んだ口コミ情報を閲覧したりすることができる。
【００６３】
「店員紹介」ボタン：
美容院Ａの店員の各々の写真、プロフィール、メッセージ等を表示する店員紹介画面を表示する。
【００６４】
なお、店員紹介画面に表示される美容院Ａの店員の各々の写真、プロフィール、メッセージ等を示すデータは予め美容院Ａアプリに内包され、スマートフォン１１にダウンロードされている。
【００６５】
店員紹介画面には、店員の各々に対応する「ブログ」ボタンが表示される。
【００６６】
上述した美容院ＡのＷｅｂサイトには、店員の各々が日々の出来事や思いなどを書いたメッセージを公開するＷｅｂページであるブログページが含まれている。美容院Ａアプリの店員紹介画面に含まれるいずれかの店員に対応する「ブログ」ボタンがタッチされると、美容院Ａアプリに従い、スマートフォン１１のブラウザアプリにその店員のブログページのＵＲＩが引き渡されて、ブラウザ画面に店員のブログページの表示が行われる。
【００６７】
顧客は、ブラウザ画面に表示された店員のブログページにおいて、興味のある店員が広く一般の読者に公開したメッセージを閲覧することができる。
【００６８】
「サービス／商品紹介」ボタン：
美容院Ａが顧客に提供するサービス／商品の内容、価格等を表示するサービス／商品紹介画面を表示する。
【００６９】
なお、サービス／商品紹介画面に表示されるサービス／商品の内容、価格等を示すデータは予め美容院Ａアプリに内包され、スマートフォン１１にダウンロードされている。
【００７０】
「会員カード」ボタン：
顧客の美容院Ａにおける会員情報を表示する会員カード画面を表示する。顧客は通常のプラスチック製等の会員カードを提示する代わりに、会員カード画面を提示することで、美容院Ａの店員に会員情報を示すことができる。
【００７１】
スマートフォン１１に美容院Ａアプリがインストールされたばかりの状態において、スマートフォン１１には会員情報を示すデータは記憶されていない。その状態では、後述する「カレンダー」ボタン、「カルテ」ボタン、「メッセージ」ボタンをタッチしてもそれらのボタンに対応する機能は利用ができない状態（未アクティベーション状態）である。なお、上述した「マップ」ボタン、「口コミ」ボタン、「店員紹介」ボタン、「サービス／商品紹介」ボタンに対応する機能は美容院Ａアプリのインストール直後から利用可能である。
【００７２】
顧客は美容院Ａの会員になるために、美容院Ａアプリをインストールした状態のスマートフォン１１を携帯して美容院Ａの店舗に行き、美容院Ａの店員にスマートフォン１１を手渡して会員情報の登録手続を行ってもらう。
【００７３】
図３は、スマートフォン１１に対する会員情報の登録手続に伴いスマートフォン１１のディスプレイに表示される画面を示した図である。
【００７４】
まず、美容院Ａの店員がスマートフォン１１のメニュー画面（図２）において「会員カード」ボタンをタッチすると、図３（ａ）に示すようなパスワードの入力画面が表示される。美容院Ａの店員は、図３（ａ）の画面において、店長から事前に通知されているロック解除用パスワードを入力し「ＯＫ」ボタンをタッチする。
【００７５】
「ＯＫ」ボタンがタッチされると、スマートフォン１１は店員に入力されたロック解除用パスワードを美容院Ａアプリに予め内包されているサーバ装置１２の所定のＵＲＩに宛てて送信する。サーバ装置１２に送信する。サーバ装置１２は、スマートフォン１１から送信されてくるロック解除用パスワードを受信すると、記憶手段に記憶しているロック解除用パスワード（参照用のロック解除用パスワード）と、スマートフォン１１から受信したロック解除用パスワード（照合用のロック解除用パスワード）とを照合する。
【００７６】
サーバ装置１２は、２つのロック解除用パスワードの照合においてそれらが一致しないと判定した場合、照合失敗を示す照合失敗通知データをスマートフォン１１に送信する。スマートフォン１１は、照合失敗通知データを受信した場合、「パスワードが誤っています。正しいパスワードを入力して下さい。」といったメッセージを表示した後、再度、図３（ａ）の画面を表示する。
【００７７】
一方、２つのロック解除用パスワードの照合においてそれらが一致すると判定した場合、サーバ装置１２は照合成功を示す照合成功通知データをスマートフォン１１に送信する。スマートフォン１１は、照合成功通知データを受信した場合、図３（ｂ）に示すような会員情報登録画面を表示する。
【００７８】
店員は会員情報登録画面において、顧客からヒアリングした会員氏名、電話番号、メールアドレスを会員情報として入力する。これらの会員情報は例えばいずれも必須入力項目であり、それらが全て入力されるまで、会員情報登録画面の「ＯＫ」ボタンはグレーアウトされ、タッチしても会員情報の登録を完了することはできない。
【００７９】
会員情報の全ての必須入力項目が店員により入力された後、店員が「ＯＫ」ボタンをタッチすると、スマートフォン１１は入力されたそれらの会員情報を示す会員カードデータをスマートフォン１１の記憶手段に記憶する。
【００８０】
なお、スマートフォン１１に記憶される会員カードデータは、例えば美容院Ａアプリに従った処理により暗号化され、スマートフォン１１の他のアプリケーションプログラムに従った処理や、外部装置からのアクセス等においてはその内容が閲覧等できない。つまり、会員カードデータは美容院Ａアプリに従った処理によってのみデコードされて利用可能となるデータである。以下、このように美容院Ａアプリに従った処理によってのみ利用可能となるデータを美容院Ａアプリの「管理データ」と呼ぶ。
【００８１】
会員カードデータの記憶処理が完了すると、スマートフォン１１は会員情報の登録処理を完了し、図３（ｃ）に示すような会員カード画面を表示する。会員カード画面には、スマートフォン１１に記憶されている会員カードデータにより示される会員氏名等の会員情報が表示される。なお、会員情報の登録処理の完了に伴い、「カレンダー」ボタン、「カルテ」ボタン、「メッセージ」ボタンに対応する機能が利用可能な状態（アクティベーション状態）にされる。
【００８２】
なお、会員カード画面には、スマートフォン１１に記憶されている会員情報の変更を行うための「変更」ボタンが表示される。店員が「変更」ボタンをタッチすると、図３（ａ）と同様のパスワード入力画面が表示される。その後、店員が上述した会員情報の登録処理と同様の操作を行うことで、スマートフォン１１に記憶されている会員カードデータの変更を行うことができる。
【００８３】
上記のように会員情報の登録が完了すると、顧客はメニュー画面（図２）において「会員カード」ボタンをタッチすることで、図３（ｃ）に示す会員カード画面をスマートフォン１１に表示させることができる。顧客は次回以降に美容院Ａの店舗を訪れた際、上述したようにスマートフォン１１に会員カード画面を表示させて店員に提示することで、スマートフォン１１を会員カードの代わりとして使用することができる。
【００８４】
「カレンダー」ボタン：
顧客が美容院Ａの店舗に次回来店する予約日時などを表示するカレンダー画面を表示する。
【００８５】
美容院Ａアプリのカレンダー機能は、スマートフォン１１に通常基本アプリケーションプログラムとしてインストールされているカレンダーアプリと連動しており、美容院Ａアプリのカレンダー画面において顧客もしくは美容院Ａの店員により登録・編集された予定情報は、カレンダーアプリのカレンダー画面においても表示される。同様に、カレンダーアプリのカレンダー画面において顧客により登録・編集された予定情報は、美容院Ａアプリのカレンダー画面においても表示される。
【００８６】
ただし、カレンダーアプリもしくは美容院Ａアプリのカレンダー画面において顧客が登録した予定情報は顧客が自由に編集することができるが、美容院Ａアプリのカレンダー画面において店員が登録した予定情報は顧客がそれを編集することはできず、美容院Ａの店員によってのみその編集が許可される。すなわち、美容院Ａアプリのカレンダー画面において店員により登録された予定情報を示すデータは美容院Ａアプリの管理データである。
【００８７】
図４は、美容院Ａアプリのカレンダー画面および予定情報の登録・編集に伴いスマートフォン１１に表示される画面を示した図である。
【００８８】
美容院Ａアプリのメニュー画面（図２）の「カレンダー」ボタンがタッチされると、スマートフォン１１には図４（ａ）に示すカレンダー画面が表示される。美容院Ａアプリのカレンダー画面はカレンダーアプリのカレンダー画面と概ね同じであるが、主として「店員用」ボタンが付加されている点が異なっている。
【００８９】
顧客は、カレンダー画面にてカレンダー表示内の予定情報を登録したい日をタッチして選択した後、「新規」ボタンをタッチし、図４（ｂ）に示すような新規予定情報の登録画面を表示させ、予定情報を入力した後、「登録」ボタンをタッチすることで、自由に予定情報をスマートフォン１１に登録することができる。
【００９０】
上記のように登録された予定情報のタイトルは、カレンダー画面（図４（ａ））の下欄のリストに表示される。顧客はそのリストから予定情報の詳細を表示させたいタイトルをタッチすることで、図４（ｃ）に示すような登録予定情報の閲覧画面を表示させることができる。
【００９１】
顧客は登録予定情報の閲覧画面において「編集」ボタンをタッチすることで、登録されている予定情報を自由に編集することができる。
【００９２】
以上のスマートフォン１１の動作は、カレンダーアプリにおいて新規予定情報の登録・閲覧・編集を行う場合と同様である。
【００９３】
店員は、美容院Ａアプリのカレンダー画面（図４（ａ））において、「店員用」ボタンをタッチすることで、例えば顧客が次回来店する予約日時、次回来店の予約が定まらない場合の予約促しのリマインダー、次回来店までの間に顧客が自宅にて行うとよいヘアケアに関するアドバイス（例えば、１週間毎に所定のトリートメント剤を髪に付けてヘッドマッサージを行うなど）などの情報を、スマートフォン１１に予定情報として登録することができる。
【００９４】
店員が顧客からスマートフォン１１を手渡してもらい、カレンダー画面の「店員用」ボタンをタッチすると、図３（ａ）に示したものと同様のパスワード入力画面が表示される。
【００９５】
店員がパスワード入力画面においてロック解除用パスワードを入力して「ＯＫ」ボタンをタッチすると、会員カードデータの登録において上述したものと同様のサーバ装置１２におけるロック解除用パスワードの照合処理が行われる。
【００９６】
店員が入力したロック解除用パスワードが誤っていると、スマートフォン１１はサーバ装置１２から照合失敗通知データを受信し、エラーメッセージの表示の後、カレンダー画面を再表示する。
【００９７】
一方、店員が入力したロック解除用パスワードが正しいと、スマートフォン１１はサーバ装置１２から照合成功通知データを受信し、図４（ｂ）に示した新規予定情報の登録画面を表示する。その画面において、店員は顧客の次回の予約日時、予約促しのリマインダー、ヘアケアアドバイスなどの予定情報を入力し、「登録」ボタンをタッチすることで、それらの予定情報をスマートフォン１１に登録することができる。
【００９８】
上記のように店員により登録された予定情報は、顧客により登録された予定情報と同様に、美容院Ａアプリおよびカレンダーアプリのカレンダー画面においてそのタイトルがリスト表示され、タイトルのタッチに伴いその詳細情報が図４（ｃ）のように表示される。従って、顧客は店員により入力された美容院Ａに関する予定情報を、美容院Ａに関しない他の予定情報とともに自由に確認することができる。
【００９９】
ただし、店員により入力された予定情報に関しては、図４（ｃ）に示される登録予定情報の閲覧画面において「編集」ボタンがタッチされると、すぐさま編集可能にはならず、図３（ａ）に示したものと同様のパスワード入力画面を経由しなければ編集可能とならない。そのため、顧客は店員により入力された予定情報を閲覧のみでき、編集することはできない。一方、店員は顧客からスマートフォン１１を手渡してもらい、パスワード入力画面において正しいロック解除用パスワードを入力することで、予定情報の編集を行うことができる。
【０１００】
なお、店員は新規予定情報の登録画面（図４（ｂ））や編集画面において、アラームの設定を行うことができる。アラームの設定された予定情報は、アラームの設定された時刻になると自動的にスマートフォン１１の画面にポップアップ表示される。そのため、顧客は自然と次回予約の日時を思い出したり、次回予約を取っていない場合は美容院Ａの店舗へ予約の連絡を行おうと思ったり、アドバイスに従いヘアケアを行おうという気になったりする。
【０１０１】
「カルテ」ボタン：
美容院Ａの店員が顧客に対し施したカット、トリートメント、ヘアケアなどの各種施術に関する記録情報や、カット・セットを行った後のヘアースタイルの写真などを表示するカルテ画面を表示する。
【０１０２】
図５は、美容院Ａアプリのカルテ画面およびカルテデータの登録・編集に伴いスマートフォン１１に表示される画面を示した図である。
【０１０３】
美容院Ａアプリのメニュー画面（図２）の「カルテ」ボタンがタッチされると、スマートフォン１１には図５（ａ）に示すカルテ画面が表示される。カルテ画面には、カルテデータの登録日、顧客に対する施術を行った担当の店員名、ケアースタイル等の写真を示す画像、その画像に付されたコメント、施術に関する記録情報のタイトルが、登録日毎に表示される。
【０１０４】
顧客は、カルテ画面の登録日を左右の矢印にタッチすることで変更したり、同じ登録日に複数の写真が登録されている場合は、それらの写真を左右の矢印にタッチすることで変更したり、同じ登録日に複数の施術記録が登録されている場合は、タイトルのリストを上下の矢印にタッチすることでスクロール表示したりすることができる。
【０１０５】
また、顧客は、施術記録のタイトルのリストからいずれかのタイトルをタッチすることで、そのタイトルに対応する施術記録の詳細を表示させることができる。
【０１０６】
従って、顧客は過去に自分に対し美容院Ａにおいて行われた施術の記録等を自由に閲覧することができる。
【０１０７】
なお、これらのカルテデータは美容院Ａアプリの管理データであり、他のアプリ等からは利用できない。
【０１０８】
カルテデータは、上記のように顧客により自由に閲覧されるが、顧客により新規登録および編集が行われることはないため、通常はロックされている。そのため、店員によるロック解除が必要である。具体的には以下のとおりである。
【０１０９】
顧客の担当の店員は、顧客に対するカット等の施術の途中もしくは終了時に、顧客からスマートフォン１１を手渡してもらい、カルテ画面（図５（ａ））を表示させる。店員がカルテ画面において「店員用」ボタンをタッチすると、スマートフォン１１のディスプレイには図３（ａ）に示したものと同様のパスワード入力画面が表示される。
【０１１０】
このパスワード画面において店員が正しいロック解除用パスワードを入力し「ＯＫ」ボタンをタッチすると、スマートフォン１１には図５（ｂ）に示されるような店員専用のカルテ画面が表示される。
【０１１１】
店員専用のカルテ画面においては、図５（ａ）に示したカルテ画面において表示されるカルテデータに加え、店員専用のカルテデータ（後述）も表示される。店員専用のカルテデータとは、例えばトリートメント剤の調合比率や、カット時のテクニックなど、専門的で顧客が閲覧しても難しく感じるたけの情報や、美容院Ａの店員内でのみ共有し外部には秘匿しておくべきノウハウのような情報を示すカルテデータである。
【０１１２】
店員は、新たに写真のカルテデータを登録したい場合、店員専用のカルテ画面（図５（ｂ））において「新規写真」ボタンをタッチする。それに伴い、スマートフォン１１には図５（ｃ）に示されるような写真登録画面が表示される。写真登録画面において、店員は例えばセットの完了したヘアースタイルにスマートフォン１１のカメラを向けて、写真登録画面の写真表示欄に写される撮影画像を見ながらその位置や角度、距離等を調整した後、「撮影」ボタンをタッチする。その操作に応じて、スマートフォン１１は写真を撮影し、撮影画像を示すデータを一時的に記憶する。
【０１１３】
続いて、店員はコメント欄にコメントを入力し、その写真を店員専用のカルテデータとする場合には「店員専用」チェックボックスにチェックを入れて、「登録」ボタンをタッチする。これにより、入力されたそれらのデータがカルテデータとしてスマートフォン１１に記憶される。その後、スマートフォン１１には店員専用のカルテ画面（図５（ｂ））が再表示される。
【０１１４】
また、店員は、新たに施術記録のカルテデータを登録したい場合、店員専用のカルテ画面（図５（ｂ））において「新規施術記録」ボタンをタッチする。それに伴い、スマートフォン１１には図５（ｄ）に示されるような施術記録登録画面が表示される。施術記録登録画面において、店員は自分の名前を担当者名欄に、施術内容を想起させるタイトルをタイトル欄にそれぞれ入力し、施術内容を施術内容欄に入力し、必要に応じて「店員専用」チェックボックスにチェックを入れて、「登録」ボタンをタッチする。これにより、入力されたそれらのデータがカルテデータとしてスマートフォン１１に記憶される。その後、スマートフォン１１には店員専用のカルテ画面（図５（ｂ））が再表示される。
【０１１５】
なお、上述したカルテデータには写真撮影もしくは施術を行った日付を示すデータが伴うが、そのデータは写真撮影の日付もしくは施術内容の入力を行った日付を示すデータが自動的に登録される。
【０１１６】
店員は、既に登録されているカルテデータを誤記修正等の目的で編集したい場合、店員専用のカルテ画面（図５（ｂ））において編集対象の写真または施術記録のタイトルを選択した後、「編集」ボタンをタッチすることで、図５（ｃ）または（ｄ）に類似するカルテデータの編集画面をスマートフォン１１に表示させることができる。ただし、それらの編集画面においては、「登録」ボタンに代えて「更新」ボタンが表示される。
【０１１７】
店員は、カルテデータの編集画面においてデータの編集を行った後、「更新」ボタンをタッチすることで、編集後のカルテデータで既に登録されているカルテデータを更新することができる。なお、それらの更新処理が完了した後も、スマートフォン１１には店員専用のカルテ画面（図５（ｂ））が再表示される。
【０１１８】
「メッセージ」ボタン：
美容院Ａの担当の店員が顧客に対し書いたテキストによるメッセージを表示したり、音声によるメッセージを再生したりするためのメッセージ画面を表示する。なお、それらのテキストメッセージおよび音声メッセージを示すデータを以下、「メッセージデータ」と呼ぶ。
【０１１９】
図６は、美容院Ａアプリのメッセージ画面およびメッセージデータの登録・編集に伴いスマートフォン１１に表示される画面を示した図である。
【０１２０】
美容院Ａアプリのメニュー画面（図２）の「メッセージ」ボタンがタッチされると、スマートフォン１１には図６（ａ）に示すメッセージ画面が表示される。メッセージ画面には、メッセージデータの登録日と顧客に対する店員からのテキストメッセージが登録日毎に表示される。また、店員からの音声メッセージが登録されている場合には、その登録日のページに「音声再生」ボタンが表示される。
【０１２１】
顧客は、メッセージ画面の登録日を左右の矢印にタッチすることで変更することで、過去の様々な登録日に登録されたテキストメッセージを閲覧することができる。また、それらのページに「音声再生」ボタンが表示される場合には、そのボタンをタッチすることで、その登録日に登録された店員からの音声メッセージをスマートフォン１１のスピーカから聞くことができる。
【０１２２】
メッセージデータは、上記のように顧客により自由に閲覧・再生されるが、顧客により新規登録および編集が行われることはないため、通常はロックされている。そのため、カルテデータと同様に、店員によるロック解除が必要である。具体的には以下のとおりである。
【０１２３】
顧客の担当の店員は、顧客に対するカット等の施術の終了時等に顧客からスマートフォン１１を手渡してもらい、メッセージ画面（図６（ａ））を表示させる。店員がメッセージ画面において「店員用」ボタンをタッチすると、スマートフォン１１のディスプレイには図３（ａ）に示したものと同様のパスワード入力画面が表示される。
【０１２４】
このパスワード画面において店員が正しいロック解除用パスワードを入力し「ＯＫ」ボタンをタッチすると、スマートフォン１１には図６（ｂ）に示されるような店員専用のメッセージ画面が表示される。
【０１２５】
店員は、新たにテキストメッセージを登録したい場合、店員専用のメッセージ画面（図６（ｂ））において「新規テキストメッセージ」ボタンをタッチする。それに伴い、スマートフォン１１には図６（ｃ）に示されるようなテキストメッセージ登録画面が表示される。テキストメッセージ登録画面において、店員は例えばヘアケアに関するアドバイスのような美容院Ａのサービスに直接関係するメッセージや、顧客が来店中に話していた話題に関する感想のようなサービスに直接関係しないメッセージなど、顧客に対する自由なメッセージをテキストで入力し、「登録」ボタンをタッチする。これにより、入力されたテキストメッセージデータがスマートフォン１１に記憶される。その後、スマートフォン１１には店員専用のメッセージデータの閲覧画面（図６（ｂ））が再表示される。
【０１２６】
また、店員は、新たに音声メッセージを登録したい場合、店員専用のメッセージ画面（図６（ｂ））において「新規音声メッセージ」ボタンをタッチする。それに伴い、スマートフォン１１には図６（ｄ）に示されるような音声メッセージ登録画面が表示される。音声メッセージ登録画面において、店員は「録音」ボタンをタッチした後、スマートフォン１１のマイクに向かい顧客に対する自由なメッセージを話した後、「停止」ボタンをタッチする。その後、必要に応じて「再生」ボタンをタッチして録音した音声メッセージを再生しその内容を確認し、「登録」ボタンをタッチする。これにより、録音された音声メッセージデータがスマートフォン１１に記憶される。その後、スマートフォン１１には店員専用のメッセージデータの閲覧画面（図６（ｂ））が再表示される。
【０１２７】
なお、上述したメッセージデータにはメッセージデータの登録を行った日付を示すデータが伴うが、そのデータはメッセージの入力もしくは録音を行った日付を示すデータが自動的に登録される。
【０１２８】
店員は、既に登録されているテキストメッセージデータを誤記修正等の目的で編集したい場合、店員専用のメッセージ画面（図６（ｂ））において編集対象のテキストメッセージ欄をタッチした後、「編集」ボタンをすることで、図６（ｃ）に類似するテキストメッセージデータの編集画面をスマートフォン１１に表示させることができる。その画面においては、「登録」ボタンに代えて「更新」ボタンが表示される。
【０１２９】
なお、店員は、既に登録されている音声メッセージを録音し直したい場合、店員専用のメッセージ画面（図６（ｂ））において「新規音声メッセージ」ボタンをタッチすることで、図６（ｄ）に示した音声メッセージ登録画面をスマートフォン１１に再度表示させ、上述した録音操作を繰り返すことで、既に登録されている音声メッセージデータを新しい音声メッセージデータで差し替えることができる。
【０１３０】
以上が美容院Ａアプリに従ったスマートフォン１１の動作の説明である。
【０１３１】
ところで、美容院Ａから店員が退職したような場合、それまでスマートフォン１１のロックを解除するために用いられていたロック解除用パスワードがそのまま使用され続けるのは望ましくない。既に退職した店員が、例えば移った後の美容院（「美容院Ｂ」とする）において、美容院Ａの会員であった顧客のスマートフォン１１に対し、美容院Ａアプリを用いて美容院Ｂにおける施術等のカルテデータの登録を行ったり、過去に美容院Ａにおいて同僚が登録した施術のノウハウなどの情報を閲覧したりすることは、美容院Ａにとっては不本意なためである。
【０１３２】
そこで、携帯アプリ管理システム１においては、美容院Ａの店長が自由なタイミングでロック解除用パスワードを変更することができる仕組みとなっている。
【０１３３】
店長は、ロック解除用パスワードを変更したい場合、端末装置１３のブラウザ画面に所定のＵＲＩを入力することでサーバ装置１２にアクセスし、ロック解除用パスワードの変更画面を端末装置１３のディスプレイに表示させる。
【０１３４】
店長はロック解除用パスワードの変更画面において、予め店長にのみ通知されているパスワード閲覧変更用パスワードと、新しいロック解除用パスワードを入力し、「変更」ボタンをクリック等する。
【０１３５】
この操作に応じて、端末装置１３からサーバ装置１２にパスワード閲覧変更用パスワードおよび新しいロック解除用パスワードが送信される。サーバ装置１２はそれらのパスワードを受信すると、受信したパスワード閲覧変更用パスワードと、予め記憶手段に記憶されているパスワード閲覧変更用パスワードとを照合する。
【０１３６】
その照合においてそれらのパスワード閲覧変更用パスワードが一致すると判定した場合、サーバ装置１２は端末装置１３から受信した新しいロック解除用パスワードをそれまで記憶手段に記憶していたロック解除用パスワードに上書き保存することで、ロック解除用パスワードの更新を行う。
【０１３７】
パスワード閲覧変更用パスワードの照合においてそれらのパスワード閲覧変更用パスワードが一致しないと判定した場合、サーバ装置１２は「パスワード閲覧変更用パスワードが誤っています。正しいパスワード閲覧変更用パスワードを入力して下さい。」といったエラーメッセージを表示させるＷｅｂページデータを端末装置１３に送信した後、再度、ロック解除用パスワードの変更画面のＷｅｂページデータを端末装置１３に送信する。そのため、店長はパスワード閲覧変更用パスワードおよび新しいロック解除用パスワードの入力をやり直すことになる。
【０１３８】
以上の操作によりロック解除用パスワードを変更した店長は、新しいロック解除用パスワードを他の店員に伝達することで、美容院Ａの店員による美容院Ａアプリのロック解除が継続して可能となる。一方、美容院Ａを退職した店員に関しては、新しいロック解除用パスワードを知ることができないため、美容院Ａアプリのロック解除を行うことはできない。
【０１３９】
以上が携帯アプリ管理システム１の動作の説明である。
【０１４０】
上述した携帯アプリ管理システム１によれば、カルテデータ等の店員により作成される顧客に関するデータが顧客の携帯するスマートフォンに直接記憶されるため、顧客は自由にそれらのデータを閲覧等することができる。その際、サーバ装置に個人情報を記憶させる必要がないため、そのメインテナンスやデータ漏洩防止のために多大な費用や労力等を費やす必要がない。さらに、店員から個々の顧客へのメッセージの伝達など、従来の仕組みでは実現できなかったサービスの提供も容易に可能となる。
【０１４１】
［変形例］
上述した実施例は本発明の具体的な一例を示したもので、本発明はその技術的思想の範囲内において様々に変形可能である。以下にそのような変形の例を示す。
【０１４２】
上述した携帯アプリ管理システム１においては、ロック解除用パスワードの照合がサーバ装置１２において行われるものとしたが、ロック解除用パスワードの照合がスマートフォン１１において行われる構成が採用されてもよい。
【０１４３】
その場合、例えばスマートフォン１１においてパスワード入力画面が表示される前後のタイミングにおいて、スマートフォン１１がサーバ装置１２に対しロック解除用パスワードの送信を要求する送信要求データを送信し、その応答としてサーバ装置１２からスマートフォン１１に対しロック解除用パスワードが送信されるようにすればよい。スマートフォン１１はサーバ装置１２から受信した参照用のロック解除用パスワードと、店員によりスマートフォン１１に対し入力される照合用のロック解除用パスワードとを照合することで、上述したサーバ装置１２におけるロック解除用パスワードの照合と同様の結果を得ることができる。
【０１４４】
また、上述した携帯アプリ管理システム１においては、店長がロック解除用パスワードを変更した場合、店長が他の店員に新しいロック解除用パスワードを伝達するものとしたが、ロック解除用パスワードの変更が行われた場合、自動的に新しいロック解除用パスワードが店員に通知される仕組みが携帯アプリ管理システム１に導入されてもよい。
【０１４５】
具体的には、店長が例えばパスワード閲覧変更用パスワードを用いてサーバ装置１２のロック解除用パスワードの変更画面にログインした後、その画面において各店員のメールアドレスを入力し「登録」ボタンをクリック等することで、それらのメールアドレスをサーバ装置１２に登録しておく。
【０１４６】
サーバ装置１２は、ロック解除用パスワードの変更が行われると、上記のように予め登録されているメールアドレスに宛てて新しいロック解除用パスワードを通知する電子メールデータを生成し、インターネット２０に送信する。その結果、各店員は自分の端末装置により新しいロック解除用パスワードの通知を電子メールで受け取ることができる。
【０１４７】
また、上述した携帯アプリ管理システム１においては、店長が手動でロック解除用パスワードの変更を行うものとしたが、それに加えて、もしくはそれに代えて、サーバ装置１２が定期的に自動的にロック解除用パスワードの変更を行う構成が採用されてもよい。
【０１４８】
その場合、サーバ装置１２は例えば予め店長により設定されたインターバル期間（例えば１ヶ月）の経過毎に、自動的に適当な新しいロック解除用パスワードを生成し、生成したロック解除用パスワードで古いロック解除用パスワードを上書き保存（更新）した後、新しいロック解除用パスワードを予めサーバ装置１２に登録されている店長のメールアドレスや、他の店員のメールアドレスに宛てて電子メールで通知するようにすればよい。
【０１４９】
その結果、店長が多忙な時でも確実にロック解除用パスワードの更新が行われ、望ましい。
【０１５０】
また、ロック解除用パスワードの店長や店員に対する通知に関し、ロック解除用パスワードをエンコードした二次元バーコードなどの画像が、ロック解除用パスワードに代えて、もしくはそれに加えて、店長の操作する端末装置１３や店員の端末装置に対し、Ｗｅｂページ経由もしくは電子メールにて送信される構成が採用されてもよい。
【０１５１】
その場合、店長や店員は送信されてきた画像をプリントアウト等しておき、もしくは自分の携帯端末装置のディスプレイに表示させ、その画像を顧客のスマートフォン１１のカメラで撮影することで、ロック解除用パスワードの入力を行うことができる。なお、その際、スマートフォン１１はカメラにより撮影した画像をデコードしてロック解除用パスワードを取得し、照合処理に用いる。
【０１５２】
また、上述した携帯アプリ管理システム１の説明においては言及しなかったが、美容院Ａアプリのロックが店員により解除された後、再度ロックがかけられるトリガとしては様々なものが考えられる。例えば、店員用の画面に「ロック」ボタンを設け、店員がそのボタンをタッチすることで明示的にロックをかける構成や、店員用の画面から店員用でない画面（メインメニューなど）に移動した際に自動的にロックがかかる構成、ロック解除から一定時間が経過すると自動的にロックがかかる構成など、上述した携帯アプリ管理システム１の目的が達せられる構成であれば、如何なるものが採用されてもよい。
【０１５３】
また、携帯アプリ管理システム１においては、美容院Ａアプリのロック解除の方法として店員によるロック解除用パスワードのスマートフォン１１に対する入力とその照合、という方法が採用されている。これに代えて、以下に述べるような他の方式による美容院Ａアプリのロック解除の仕組みが採用されてもよい。
【０１５４】
（位置データを用いる方法）
パスワード照合に代えて採用可能な美容院Ａアプリのロック解除の方法としてまず提案されるのは、予め美容院Ａアプリに店舗の地理的な領域を示す領域データを内包させておき、スマートフォン１１の現在位置が領域データに示される店舗の領域内に入っているとスマートフォン１１が判定した場合に限り、美容院Ａアプリのロック解除を行う、という方法である。
【０１５５】
この変形例において、美容院Ａアプリに予め内包される美容院Ａの店舗の領域を示す領域データの形式の例としては、まず、図７（ａ）に示すように、店舗の敷地の外縁における頂点（図７（ａ）における点ａ〜ｆ）の座標を示す座標データを、例えば時計回りに順に並べた座標データ群のような形式が考えられる。
【０１５６】
また、美容院Ａの店舗の領域を示す領域データの形式の他の例としては、図７（ｂ）に示すように、店舗の敷地の概ね中心を示す点（図７（ｂ）における点ｏ）の座標を示す座標データと、その点を中心とする店舗の敷地を概ね覆う円の半径の長さ（図７（ｂ）における距離ｄ）を示す半径データとの組み合わせのような形式が考えられる。
【０１５７】
スマートフォン１１は、いわゆるＧＰＳ携帯機能と呼ばれる、自機の現在位置を示す現在位置データを取得する機能を備えている必要がある。ＧＰＳ携帯機能とは、複数の人工衛星から発信されるデータをスマートフォン１１が受信し、それらの発信から受信までの時間およびそれらの人工衛星の位置に関するデータに基づきスマートフォン１１の現在位置を算出し、その算出結果を示す現在位置データを生成する機能である。
【０１５８】
なお、精度は落ちるが、ＧＰＳ携帯機能に代えて簡易位置測定機能と呼ばれる機能により測定された現在位置を示す現在位置データがこの変形例において用いられてもよい。簡易位置測定機能とは、スマートフォンなどの移動体データ通信端末が移動体データ通信網を構成する複数の近隣の基地局から受信する電波の強度、もしくは基地局が移動体データ通信端末から受信する電波の強度を測定し、それらの測定値から移動体データ通信端末の現在位置を算出し、その算出結果を示す現在位置データを生成する機能である。
【０１５９】
この変形例にかかる携帯アプリ管理システム１によれば、美容院Ａの店舗内で美容院Ａアプリが起動されると、自動的に美容院Ａアプリのロックが解除され、店員によるカルテデータやメッセージデータ等の登録・編集などが可能となる。そのため、店員が顧客のスマートフォン１１に対しロック解除用パスワードを入力する手間が不要となる。
【０１６０】
なお、美容院Ａの店舗が複数ある場合、美容院Ａアプリにそれら複数の店舗の各々に関する領域データを内包させることで、いずれの店舗に顧客が来店した場合であっても、美容院Ａアプリのロックを解除することが可能となる。
【０１６１】
（電波発信装置を用いる方法）
パスワード照合に代えて採用可能な美容院Ａアプリのロック解除の方法として次に提案されるのは、予め美容院Ａアプリに特定の電波発信装置を一意に識別する装置ＩＤ（Identifier）を内包させておき、スマートフォン１１がその装置ＩＤを示す電波を受信した場合に限り、美容院Ａアプリのロック解除を行う、という方法である。
【０１６２】
例えばBluetooth（登録商標）という商標名で知られる無線通信規格に準拠した無線データ通信手段を備えたパーソナルコンピュータに本発明にかかるアプリケーションプログラムに従った処理を実行させることで、この変形例において携帯アプリ管理システム１の構成要素として必要となる電波発信装置が実現される。
【０１６３】
Bluetooth（登録商標）は見通し到達距離が最大１００メートルほどの比較的短距離の無線通信を行うデータ通信規格であり、主として主装置と周辺装置との間での定型的なデータ通信を可能とし、ほとんどのスマートフォンがその規格に準拠した無線データ通信手段を内蔵している。
【０１６４】
Bluetooth（登録商標）においては、自機を識別する装置ＩＤが通信相手先の候補に対し定期的にブロードキャストされる。
【０１６５】
従って、予め美容院Ａの店舗に配置される電波発信装置が備えるBluetooth（登録商標）準拠の無線データ通信手段に割り当てられている装置ＩＤを美容院Ａアプリに内包されておくことで、スマートフォン１１における装置ＩＤの照合が可能となる。
【０１６６】
この変形例にかかる携帯アプリ管理システム１においては、例えば店舗内で美容院Ａアプリが起動された際、スマートフォン１１が店舗内に配置されている電波発信装置からブロードキャスト発信される装置ＩＤを受信し、受信した装置ＩＤと美容院Ａアプリに内包されている装置ＩＤとが一致した場合に限り、美容院Ａアプリのロックを自動的に解除する。
【０１６７】
その結果、この変形例にかかる携帯アプリ管理システム１によっても、上述したスマートフォン１１の現在位置データを用いる方法と同様に、店員が顧客のスマートフォン１１に対しロック解除用パスワードを入力する手間が不要となる。
【０１６８】
なお、美容院Ａの店舗が複数ある場合、美容院Ａアプリにそれら複数の店舗の各々に配置される電波発信装置の装置ＩＤを内包させることで、いずれの店舗に顧客が来店した場合であっても、美容院Ａアプリのロックを解除することが可能となる。
【０１６９】
また、Bluetooth（登録商標）はこの変形例にかかる携帯アプリ管理システム１において採用可能な無線データ通信規格の一例であって、見通し到達距離が概ね１００メートル以下の無線データ通信規格であれば、他の如何なる規格がこの変形例において採用されてもよい。
【０１７０】
また、この変形例にかかる携帯アプリ管理システム１において、店内に配置する電波通信装置からスマートフォン１１に対し、例えば店舗から来店者に対し限定的に通知するお知らせなどを示すコンテンツデータを送信する構成が採用されてもよい。なお、コンテンツデータはテキストデータ、画像データ、動画データ、音データ、プログラムデータ、もしくはそれらの任意な組み合わせである。
【０１７１】
その場合、顧客は例えばインターネット２０を介して広く公開されている美容院Ａの紹介用のＷｅｂページなどでは知ることのできないお得な情報を美容院Ａの店舗に行くことによってのみ得ることができる。そのため、顧客としては、例えば美容院Ａの店舗内における待ち時間にそのようなお得な情報を読んで過ごすことができ望ましい。また、美容院Ａとしては、来店者専用のコンテンツを準備することで、顧客の来店を促すことができ望ましい。
【０１７２】
［備考］
ところで、上述した実施例およびその変形例においては、美容院Ａにおけるカルテデータ等のデータを管理する仕組みに本発明を利用する場合に関し説明した。本発明は美容院に限られず、他の様々な実店舗を持つサービス業において利用可能である。
【０１７３】
さらに、本発明の利用シーンは、実店舗を持つサービス業におけるサービス向上というシーンに限られず、ユーザの携帯する携帯端末装置に記憶されているデータを用いた所定の処理を、そのユーザが特定の領域内に行った場合にのみ許可する、という仕組みを利用可能なシーンであれば、如何なるシーンにおいて本発明が利用されてもよい。
【０１７４】
その際、ロック解除により利用可能となる所定の処理は、上述した実施例において採用されている特定種別のデータの編集・閲覧に限られず、例えばゲームプログラムにおける所定のキャラクターの利用許可など、様々なものが考えられる。
【産業上の利用可能性】
【０１７５】
本発明にかかる方法は、少なくとも実店舗を持つサービス業におけるサービス向上に役立つため、それらのサービス業において広く利用可能である。
【符号の説明】
【０１７６】
１…携帯アプリ管理システム、１１…スマートフォン、１２…サーバ装置、１３…端末装置、２０…インターネット
【図１】
2013033364.tif 000003
【図２】
2013033364.tif 000004
【図３】
2013033364.tif 000005
【図４】
2013033364.tif 000006
【図５】
2013033364.tif 000007
【図６】
2013033364.tif 000008
【図７】
2013033364.tif 000009